【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
１つ以上のタイトルキーと、前記タイトルキーによって暗号化された前記タイトルコンテンツと、前記タイトルコンテンツのコピーに関する制限を示すコピー制御情報と、が記録された記録媒体に対して、前記タイトルコンテンツに付属する付属データを記録するためのコンテンツ記録装置であって、
前記付属データに暗号化処理を施す際に使用される鍵を、前記記録媒体から選択する鍵選択部と、
前記鍵選択部によって選択された鍵を用いて、前記付属データに対して暗号化処理を施す暗号化処理部と、
前記暗号化処理部によって暗号化処理が施された前記付属データと、前記選択された鍵とを、前記記録媒体に記録する記録部と、
を備えたことを特徴とするコンテンツ記録装置。
【請求項２】
前記鍵選択部は、前記付属データに暗号化処理を施す際に使用する鍵を、前記付属データが付属する前記タイトルコンテンツの前記コピー制御情報に基づいて、選択することを特徴とする請求項１に記載のコンテンツ記録装置。
【請求項３】
前記鍵選択部は、前記タイトルキーによって暗号化されており、かつ前記付属データが付属する前記タイトルコンテンツの前記コピー制御情報がコピー禁止を示す情報である場合には、前記付属データに暗号化処理を施す際に使用される鍵として、前記付属データが付属する前記タイトルコンテンツに対応した前記タイトルキーを選択し、
前記暗号化処理部は、前記タイトルコンテンツが前記タイトルキーによって暗号化されており、かつ前記付属データが付属する前記タイトルコンテンツの前記コピー制御情報がコピー禁止を示す情報である場合には、前記鍵選択部によって選択された前記タイトルキーによって前記付属データに対して暗号化処理を施し、前記コピー制御情報により前記タイトルコンテンツが平文と判断された場合には、前記付属データに対して暗号化処理を施さず、
前記記録部は、前記タイトルコンテンツが前記タイトルキーによって暗号化されており、かつ前記付属データが付属する前記タイトルコンテンツの前記コピー制御情報がコピー禁止を示す情報である場合には、前記暗号化処理部によって暗号化処理が施された前記付属データを、前記選択された前記タイトルキーとともに、前記記録媒体に記録し、前記コピー制御情報により前記タイトルコンテンツが平文と判断された場合には、暗号化されていない前記付属データを記録することを特徴とする請求項２に記載のコンテンツ記録装置。
【請求項４】
前記記録媒体には、さらに、複数の前記タイトルコンテンツと、複数のタイトルコンテンツにそれぞれ対応した複数の前記タイトルキーが登録されたタイトルキーファイルと、前記付属データを暗号化処理する際に用いる前記タイトルキーが登録された付属データ用タイトルキーファイルとが記録されており、
前記記録部は、前記選択されたタイトルキーを、前記付属データ用タイトルキーファイルに更新して記録することを特徴とする請求項３に記載のコンテンツ記録装置。
【請求項５】
前記鍵選択部は、さらに、前記付属データが含まれる前記タイトルコンテンツの前記コピー制御情報に基づいて、前記付属データに暗号化処理を施す際に使用される鍵を新たに生成し、
前記暗号化処理部は、前記鍵選択部によって生成された鍵によって前記付属データに対して暗号化処理を施し、
前記記録部は、前記暗号化処理部によって暗号化処理が施された前記付属データを、前記生成された鍵とともに、前記記録媒体に記録することを特徴とするコンテンツ記録装置。
【請求項６】
前記鍵選択部は、前記付属データが含まれる前記タイトルコンテンツが暗号化されており、かつ前記タイトルコンテンツの前記コピー制御情報がコピー無制限または制限付きでコピー可能を示す情報である場合には、前記付属データに暗号化処理を施す際に使用される鍵を新たに生成することを特徴とする請求項５に記載のコンテンツ記録装置。
【請求項７】
前記記録媒体には、さらに、複数の前記タイトルコンテンツと、複数のタイトルコンテンツにそれぞれ対応した複数の前記タイトルキーが登録されたタイトルキーファイルとが記録されており、
前記記録部は、前記生成された鍵を、前記タイトルキーとして前記タイトルキーファイルに追加して記録することを特徴とする請求項６に記載のコンテンツ記録装置。
【請求項８】
前記記録媒体には、さらに、複数の前記タイトルコンテンツと、複数のタイトルコンテンツと前記付属データにそれぞれ対応した複数の前記タイトルキーが登録されたタイトルキーファイルと、前記付属データを暗号化処理する際に用いる複数の前記タイトルキーが登録された付属データ用タイトルキーファイルとが記録されており、
前記記録部は、前記生成された鍵を、前記タイトルキーとして、前記付属データ用タイトルキーファイルに追加して記録することを特徴とする請求項７に記載のコンテンツ記録装置。
【請求項９】
前記記録部は、前記暗号化処理部によって暗号化処理が施された前記付属データと、前記選択された鍵に関する鍵情報とを単一のファイルとして前記記録媒体に記録することを特徴とする請求項１に記載のコンテンツ記録装置。
【請求項１０】
１つ以上のタイトルキーと、前記タイトルキーによって暗号化された前記タイトルコンテンツと、前記タイトルコンテンツのコピーに関する制限を示すコピー制御情報と、前記タイトルコンテンツに付属する付属データとのうち、前記付属データを暗号化するための暗号化装置であって、
前記付属データに暗号化処理を施す際に使用する鍵を、記録媒体に記録されたタイトルキーから選択する鍵選択部と、
前記鍵選択部によって選択された鍵を用いて、前記付属データに対して暗号化処理を施す暗号化処理部とを備え、
前記タイトルキーと前記タイトルコンテンツと前記コピー制御情報とが記録される前記記録媒体へ、前記暗号化処理部によって暗号化処理が施された前記付属データと、前記選択された鍵とを出力する出力部と、
を備えたことを特徴とする暗号化装置。
【請求項１１】
１つ以上のタイトルキーと、前記タイトルキーによって暗号化された前記タイトルコンテンツと、前記タイトルコンテンツのコピーに関する制限を示すコピー制御情報と、が記録された記録媒体に対して、前記タイトルコンテンツに付属する付属データを記録するためのコンテンツ記録装置で実行される記録方法であって、
前記付属データに暗号化処理を施す際に使用される鍵を、前記記録媒体から選択し、
選択した鍵を用いて、前記付属データに対して暗号化処理を施し、
前記暗号化処理が施された前記付属データと、前記選択された鍵とを、前記記録媒体に記録する、
ことを特徴とする記録方法。
【請求項１２】
１つ以上のタイトルキーと、前記タイトルキーによって暗号化された前記タイトルコンテンツと、前記タイトルコンテンツのコピーに関する制限を示すコピー制御情報と、が記録された記録媒体に対して、前記タイトルコンテンツに付属する付属データを記録するためのコンピュータに実現させるための記録プログラムであって、
前記コンピュータに、
前記付属データに暗号化処理を施す際に使用される鍵を、前記記録媒体から選択する機能と、
選択した鍵を用いて、前記付属データに対して暗号化処理を施す機能と、
前記暗号化処理が施された前記付属データと、前記選択された鍵とを、前記記録媒体に記録する機能と、
を実現させるための記録プログラム。
【手続補正２】
【補正対象書類名】明細書
【補正対象項目名】発明の名称
【補正方法】変更
【補正の内容】
【発明の名称】コンテンツ記録装置、暗号化装置、記録方法および記録プログラム
【手続補正３】
【補正対象書類名】明細書
【補正対象項目名】０００１
【補正方法】変更
【補正の内容】
【０００１】
本発明は、番組のコンテンツであるタイトルコンテンツを暗号化するタイトルキーと、タイトルキーによって暗号化されたタイトルコンテンツとタイトルコンテンツのコピーに関する制限を示すコピー制御情報とを含むコンテンツデータとが記録された記録媒体に対して、付属データを記録するコンテンツ記録装置、暗号化装置、記録方法および記録プログラムに関する。
【手続補正４】
【補正対象書類名】明細書
【補正対象項目名】００１１
【補正方法】変更
【補正の内容】
【００１１】
本発明は、上記の問題点に鑑みてなされたものであって、付属データの著作権を保護して記録することにより、付属データの不正利用や不正コピーを確実に防止して、タイトルコンテンツの著作権保護を強化することができるコンテンツ記録装置、暗号化装置、記録方法および記録プログラムを提供することを目的とする。
【手続補正５】
【補正対象書類名】明細書
【補正対象項目名】００１２
【補正方法】変更
【補正の内容】
【００１２】
上述した課題を解決し、目的を達成するために、本発明の一実施形態は、１つ以上のタイトルキーと、前記タイトルキーによって暗号化された前記タイトルコンテンツと、前記タイトルコンテンツのコピーに関する制限を示すコピー制御情報と、が記録された記録媒体に対して、前記タイトルコンテンツに付属する付属データを記録するためのコンテンツ記録装置であって、前記付属データに暗号化処理を施す際に使用される鍵を、前記記録媒体から選択する鍵選択部と、前記鍵選択部によって選択された鍵を用いて、前記付属データに対して暗号化処理を施す暗号化処理部と、前記暗号化処理部によって暗号化処理が施された前記付属データと、前記選択された鍵とを、前記記録媒体に記録する記録部と、を備えたことを特徴とするコンテンツ記録装置である。
【手続補正６】
【補正対象書類名】明細書
【補正対象項目名】００１３
【補正方法】変更
【補正の内容】
【００１３】
また、本発明は、上記コンテンツ記録装置で実行される記録方法、記録プログラムである。
【手続補正７】
【補正対象書類名】明細書
【補正対象項目名】００１４
【補正方法】変更
【補正の内容】
【００１４】
本発明によれば、付属データを記録媒体の中の鍵で暗号化して記録することにより、付属データのみを他の記録媒体にコピーした場合でも、記録媒体に記録された鍵を用いなければ復号化処理を行うことができないため、付属データの不正利用や不正コピーを確実に防止して、タイトルコンテンツの著作権保護を強化することができるという効果を奏する。
【手続補正８】
【補正対象書類名】明細書
【補正対象項目名】００１５
【補正方法】変更
【補正の内容】
【００１５】
以下に添付図面を参照して、この発明にかかるコンテンツ記録装置、暗号化装置、記録方法および記録プログラムの最良な実施の形態を詳細に説明する。